(57)【特許請求の範囲】
【請求項１】
内部に収納空間が形成された家具の前面で摺動開閉される引戸であって、
戸体が互いに当接する面に、開放時に干渉防止のために形成される摺動部と、
前記家具の上面に各戸体を摺動するとき、前後に移送するように両側に折曲部が形成されたレールが上部に突設した一対のレールフレームと、
一側が前記戸体の上端と装着される連結ブラケットの他側に、前記レールで乗せて摺動しながら、前記折曲部の曲線区間で回転可能に装着されるそれぞれの回転部材とを含み、
前記一対のレールフレームは、直線区間の前後の各レールが一体に形成される直線レールフレームと、前記直線レールフレームの両側に折曲部曲線区間の前後各レールが形成された各曲線レールフレームとに分割構成され、分割された前記曲線レールフレームは、外側で折曲されるレールの折曲傾斜度より、内側で折曲されるレールの折曲傾斜度が大きく、
前記回転部材は、レールに乗せて転がる一つのローラと、前記ローラが転がって装着されて、前記連結ブラケットで回転可能に締結される締結ブラケットとから構成され、
前記回転部材の回転は、折曲傾斜度が大きいレールの折曲部の曲線区間で行われ、
前記締結ブラケットは、連結ブラケットに形成された挿入孔で挿入されるボス部が形成され、前記ボス部には、螺合する調節ボルトによって、締結ブラケット上で連結ブラケットの高低を調節することを特徴とする引戸の開閉装置。
【請求項２】
前記家具の底面で各戸体を摺動するとき、前後に移送するように、両側に曲面部が形成されたガイド支持溝が形成された一対の支持フレームと、一側が前記戸体の下端と装着される支持ブラケットの他側に、前記ガイド支持溝で挿入支持されて摺動するそれぞれの支持部材とを含むことを特徴とする請求項１に記載の引戸の開閉装置。
【請求項３】
前記支持部材は、ガイド支持溝に挿入支持されて転がる挿入突部が形成された支持ローラと、前記支持ローラが転がるように装着されて、前記支持ブラケットで回転可能に締結される回動ブラケットとから構成されることを特徴とする請求項２に記載の引戸の開閉装置。
【請求項４】
前記回動ブラケットには、支持ブラケットに形成された結合孔に挿入される挿入ボス部が形成され、前記挿入ボス部には、螺合する調節ボルトにより、回動ブラケット上で支持ブラケットの高低を調節することを特徴とする請求項３に記載の引戸の開閉装置。
【請求項５】
前記支持フレームの両側の各曲面部側には、前記回動ブラケットが係脱し、且つ、戸体の開放による緩衝力を有する緩衝部材が備えられることを特徴とする請求項３に記載の引戸の開閉装置。
【請求項６】
前記緩衝部材は、前記曲面部に対応する案内溝と、前記案内溝上で移動しながら前記回動ブラケットが挿脱される流入溝が形成された移動具と、前記移動具と一端が回動可能に締結され、他端は、復元バネを介して回転可能に固定される稼動台と、前記稼動台の一面と接触するとき、緩衝力を有するダンパとから構成されることを特徴とする請求項５に記載の引戸の開閉装置。
【請求項７】
前記戸体の摺動開閉に際して、その戸体が、左右に流動することなく、前記レールフレームが固定した家具の上面後方に形成される支持レールと、前記連結ブラケットに戸体が開放される方向側に締結固定される支持台と、前記支持台上に装着され、前記支持レールの支持溝上で転がる流動防止ローラとを含むことを特徴とする請求項１に記載の引戸の開閉装置。
【発明の詳細な説明】
【技術分野】
【０００１】
本発明は、引戸の開閉装置に関し、より詳しくは、同一線上に位置した各戸体が摺動して、重ね合って開閉される過程において、摺動する回転部材の回転による複雑な構造を必要とすることなく、簡単な構造でスムーズな開閉ができるようにした引戸の開閉装置に関する。
【背景技術】
【０００２】
一般に、たんすや書棚、戸棚、又は バニティー・キャビネットなどのような家具の前面には、収納物品を露出することなく、損失などを防止し且つ美観に優れるように戸体が設けられ、このような戸体は開閉方式により、開き戸と引戸とに分けられる。
【０００３】
前者の開き戸の場合は、戸体の一側が回転可能にヒンジ結合されるか、蝶番などが装着されて、その固定部分をベースに、戸体の幅分だけ一定の回転半径に開閉される方式であり、これは、戸体の幅分だけ開閉されるため、一定の回転半径を確保しなければならないという不都合があった。
【０００４】
また、後者の引戸の場合は、戸体の数分ほど備えられたレール上で、戸体が互いに摺動しながら重ね合って開閉されるものであり、これは、前記開き戸でのように、戸体が回転される回転半径の空間を確保する必要はないが、戸体が閉じられた状態で露出したレールにより、美観が良くないと共に、レールに埃などのような異物が積もると、スムーズな開閉ができないという不都合があった。 
【０００５】
また、引戸式の場合は、戸体の数分ほどレールが設けられ、そのレールが設置される幅に伴い、家具の収納空間が減少するという不都合があった。 
【０００６】
上記のような引戸における問題点を解消するために、本出願人によって先出願して登録を受けた登録特許第10-0987123号には、上面に設けられたレール上に設置される摺動手段で戸体が摺動する過程において、前記摺動手段に設けられた離隔手段により、開放しようとする戸体が前方に離隔しながら、他の戸体の前面に開放することができることについて開示されている。
【０００７】
しかし、前記登録特許の場合、戸体を開閉するための手段が、摺動手段、及びその摺動手段に設けられる離隔手段のように、構造が複雑であるという問題があった。 
【０００８】
このような問題点を解消するために、本出願人により、前記登録特許を基に改良した登録特許第10-1180469号に開示されているように、家具の上面と底面にレール溝が配設された一対のレールフレーム上に、上部連結フレームと下部装着フレーム、及び前後移送手段によって、戸体が重ね合って摺動開閉される開閉装置について、登録を受けたことがある。 
【０００９】
また、本出願人の登録特許第10-1087289号に示されているように、家具の上面と下面にレール溝が配設された一対のレールフレーム上で戸体が摺動開閉される過程において、前後に移動するように、連結フレーム上に摺動部材を含めて設けられる。 
【００１０】
しかし、前記の登録特許も、戸体が摺動する過程において、前後方に移送する前後移送手段又は摺動部材を必須的に備え、その前後移送手段や摺動部材の構造も、極めて複雑な構造であると共に、それによる組立作業も、煩わしくて不便であるという問題を有していた。
【先行技術文献】
【特許文献】
【００１１】
【特許文献１】韓国登録特許第１０−０９８７１２３号
【特許文献２】韓国登録特許第１０−１１８０４６９号
【特許文献３】韓国登録特許第１０−１０８７２８９号
【発明の概要】
【発明が解決しようとする課題】
【００１２】
前記のような従来の問題点を解決するための本発明の目的は、本出願人によって先出願して登録を受けた登録特許を基に改良したものであって、同一線上に位置した各戸体が摺動して重ね合って開閉される過程において、摺動する回転部材の回転による複雑な構造を必要とすることなく、極めて簡単な構造でスムーズに開閉できるようにした引戸の開閉装置を提供することにある。 
【００１３】
本発明の他の目的は、各戸体の高低調節を簡便に行うことにある。 
【００１４】
また、本発明の他の目的は、家具の上面に設けられる一対のレールフレームも、極めて簡単な構造で行うことにある。 
【００１５】
更に、本発明の他の目的は、戸体の下部も、家具の底面でスムーズに摺動するようにすることで、安定した開閉が行われるようにすることにある。 
【００１６】
なお、本発明の他の目的は、戸体の前・後流動性もを最小化することにある。 
【００１７】
更に、本発明の他の目的は、戸体の左・右流動性を最小化することにある。 
【００１８】
本発明の更に他の目的は、戸体の開放されてから閉じられるとき、戸体が衝撃を受けることなく、自然に且つ安定して閉じられるようにすることにある。 
【００１９】
また、本発明の他の目的は、家具の底面に設けられて摺動するようにガイドする構造を、極めて簡単に構成することにある。 
【課題を解決するための手段】
【００２０】
前記のような技術的課題を解決するための本発明は、内部に収納空間が形成された家具の前面で摺動開閉される引戸であって、戸体が互いに当接する面に、開放時に干渉防止のために形成される摺動部と、前記家具の上面に各戸体を摺動するとき、前後に移送するように両側に折曲部が形成されたレールが上部に突設した一対のレールフレームと、一側が前記戸体の上端と装着される連結ブラケットの他側に、前記レールで乗せて摺動しながら、前記折曲部の曲線区間で回転可能に装着されるそれぞれの回転部材とを含むことを特徴とする。
【００２１】
前記摺動部は、各戸体の家具側方向に互いに対向して形成される傾斜面又は干渉防止空間部で形成されることを特徴とする。 
【００２２】
前記回転部材は、レールに乗せて転がるローラと、前記ローラが転がって装着されて、前記連結ブラケットで回転可能に締結される締結ブラケットとから構成されることを特徴とする。 
【００２３】
前記締結ブラケットは、連結ブラケットに形成された挿入孔で挿入されるボス部が形成され、前記ボス部には、螺合する調節ボルトによって、締結ブラケット上で連結ブラケットの高低を調節することを特徴とする。 
【００２４】
前記一対のレールフレームは、直線区間の前後の各レールが一体に形成される直線レールフレームと、前記直線レールフレームの両側に折曲部曲線区間の前後各レールが形成された各曲線レールフレームとに分割構成されることを特徴とする。 
【００２５】
前記家具の底面で各戸体を摺動するとき、前後に移送するように、両側に曲面部が形成されたガイド支持溝が形成された一対の支持フレームと、一側が前記戸体の下端と装着される支持ブラケットの他側に、前記ガイド支持溝で挿入支持されて摺動するそれぞれの支持部材とを含むことを特徴とする。 
【００２６】
前記支持部材は、ガイド支持溝に挿入支持されて転がる挿入突部が形成された支持ローラと、前記支持ローラが転がるように装着されて、前記支持ブラケットで回転可能に締結される回動ブラケットとから構成されることを特徴とする。 
【００２７】
前記回動ブラケットには、支持ブラケットに形成された結合孔に挿入される挿入ボス部が形成され、前記挿入ボス部には、螺合する調節ボルトにより、回動ブラケット上で支持ブラケットの高低を調節することを特徴とする。 
【００２８】
前記支持フレームの両側の各曲面部側には、前記回動ブラケットが係脱し、且つ、戸体の開放による緩衝力を有する緩衝部材が備えられることを特徴とする。 
【００２９】
前記緩衝部材は、前記曲面部に対応する案内溝と、前記案内溝上で移動しながら前記回動ブラケットが挿脱される流入溝が形成された移動具と、前記移動具と一端が回動可能に締結され、他端は、復元バネを介して回転可能に固定される稼動台と、前記稼動台の一面と接触するとき、緩衝力を有するダンパとから構成されることを特徴とする。 
【００３０】
前記戸体の摺動開閉に際して、その戸体が、左右に流動することなく、前記レールフレームが固定した家具の上面後方に形成される支持レールと、前記連結ブラケットに戸体が開放される方向側に締結固定される支持台と、前記支持台上に装着され、前記支持レールの支持溝上で転がる流動防止ローラとを含むことを特徴とする。 
【００３１】
前記家具の底面で各戸体を摺動するとき、前後に移送するように、両側にガイド曲面部が形成されたガイド溝が設けられた一対のガイドフレームと、一側が前記戸体の下端に装着される装着ブラケットの他側に、前記ガイド溝で挿入支持されて摺動するガイドローラとを含むことを特徴とする。 
【００３２】
前記ガイドローラは、装着ブラケット上に回転可能に装着され、前記ガイド溝上で垂直又は水平に転がることを特徴とする。 
【発明の効果】
【００３３】
本発明は、同一線上に位置した各戸体が摺動して重ねあって開閉される過程において、摺動する回転部材の回転による複雑な構造を必要とすることなく、極めて簡単な構造で、スムーズな開閉ができるようにすることで、別の前後移送手段がなくても、戸体の開閉がスムーズに行えるだけでなく、極めて簡単な構成品による組立の優秀性と共に、製造コストも顕著に低くすることができる。 
【００３４】
また、各戸体の高低調節も簡便に行われるようにすることで、戸体の微細な差の高低も便利に調節することができ、外観を秀麗にしながら、製品の信頼性を向上することができる。 
【００３５】
更に、家具の上面に設けられる一対のレールフレームも、極めて簡単な構造で行われるようにすることで、部品数をより減少し、組立性をより高くしながら、経済性も優れるという効果を奏する。 
【００３６】
なお、戸体の下部も、家具の底面でスムーズに摺動させることで、安定した開閉が行われるようにして、戸体が前後に流動することなく、安定した開閉が行われ、製品に対する信頼性を向上することができる。 
【００３７】
また、戸体の前後及び左右流動性も最小化することにより、戸体の開閉に際して、安定した開閉が行われるようにすることで、製品に対する更に高い信頼性を確保することができる。 
【００３８】
更に、戸体が開放されてから閉じられるとき、緩衝力によって衝撃騒音を最小化しながら、安定的に自然に閉じられるようにすることで、衝撃による家具の損傷を防止し、製品に対する高い信頼性を有することができる。 
【００３９】
なお、家具の底面に設けられて摺動するようにガイドする構造を、極めて簡単にすることで、組立の優秀性をより増大させ、製品コストも低くすることができるという効果を奏する。 
【図面の簡単な説明】
【００４０】
【図１】図１は、本発明を概略的に示す分解斜視図である。
【図２】図２は、図１による概略的な要部平面図である。
【図３】図３は、図１による概略的な要部側断面図である。
【図４】図４は、図１による概略的な要部底面図である。
【図５】図５は、本発明の他の実施例を概略的に示す要部図である。
【図６】図６は、本発明の他の実施例を概略的に示す要部図である。
【図７】図７は、本発明の他の実施例を概略的に示す要部図である。
【図８】図８は、本発明の更に他の実施例を概略的に示す要部図である。
【図９】図９は、本発明の更に他の実施例を概略的に示す要部図である。
【図１０】図１０は、図９による本発明の更に他の実施例を概略的に示す要部図である。
【発明を実施するための形態】
【００４１】
以下、本発明の望ましい実施例を、添付の図面を参考してより詳しく説明するが、本発明は、実施例により限られるものではない。
【００４２】
図１は、本発明を概略的に示す要部分解斜視図であり、図２は、図１による概略的な平面図であり、図３は、図１による概略的な要部側断面図であり、図４は、図１による概略的な要部底面図である。 
【００４３】
同図に示しているように、本発明は、内部に収納しようとする物を入れておく収納空間１１０が形成された家具１００の前面において、収納された物品を露出させることなく、損失などを防止しながら外観が秀麗であり、最大限の収納空間を有するように摺動開閉される引戸１である。 
【００４４】
本発明は、同一線上に位置した各戸体が摺動して重ね合って開閉される過程において、摺動する回転部材の回転による複雑な構造を必要とすることなく、極めて簡単な構造でスムーズな開閉ができるように、前記戸体１が互いに当接する面に戸体を、開放に際して戸体間に互いに干渉することなく、スムーズな摺動が行われるように、すなわち、開放しようとする戸体が他の戸体の当接面と干渉することなく、スムーズに乗って摺動するように、干渉防止のために形成される摺動部１０と、前記家具１００の上面にスクリューなどによって締結固定される通常のレールのような形態である固定フランジ２２の上面に各戸体１を摺動するとき、重ね合って開閉されて、同一線上に位置するように、戸体が前後に移送して、両側に折曲部２３が形成されたレール２４が上部に突設された一対のレールフレーム２０と、一側が前記戸体１の上端と装着される連結ブラケット３２の他側に、前記レール２４に乗せて摺動しながら、前記折曲部２３の曲線区間で別の前後進移動手段がなくても、自体的に回転が行われて、前後に移送するように回転可能に装着されるそれぞれの回転部材３０とを含む。
【００４５】
前記摺動部１０は、各戸体１の家具１００側方向に互いに対向して形成される傾斜面１２又は干渉防止空間部１４(図５参照)で形成されることが望ましく、すなわち、戸体が閉じられて当接した状態で、前記回転部材が折曲部の曲線区間で摺動と共に、開放しようとする戸体側が前方に移送される時、閉じられている戸体の当接面と干渉することなく、スムーズに前方に移送されることである。 
【００４６】
前記において、レールフレーム２０の固定フランジ２２の枠には、必要により、レール２４のような形態の枠段差２２ａを形成してもよい。 
【００４７】
それにより、前記回転部材と共に別の前後進移送手段がなくても、前記摺動部と回転部材によって摺動する戸体が、重ね合って開閉して、同一線上に位置することができる。 
【００４８】
前記回転部材３０は、レール２４に乗せて転がるローラ３３と、前記ローラ３３が転がるように装着されて、前記連結ブラケット３２で回転可能に締結される締結ブラケット３４とから構成され、ここで、前記締結ブラケット３４は、連結ブラケット３２に形成された挿入孔３２aに回転可能に挿入されるボス部３４aが形成され、前記ボス部３４aには、螺合する調節ボルト３５により、締結ブラケット３４上で連結ブラケット３２の高低が調節されることが望ましい。
【００４９】
換言すると、前記ボス部３４aに螺合した調節ボルト３５を回転することにより、前記締結ブラケット３４のボス部３４a上で連結ブラケット３２が上部に昇ることになり、それにより、連結ブラケット３２に連結される戸体１の高低を調節することができる。ここで、戸体の高低は、大きな幅に調節されることではなく、設置後、微細な幅に調節される。
【００５０】
図面符号３１は、連結ブラケットを連結固定する固定板である。 
【００５１】
前記のように構成することによって、本発明は、家具１００の前面で摺動開閉される引戸１を重ね合って開閉する過程において、別の前後移送手段が要することではなく、戸体１の当接面に形成される摺動部１０と、戸体１の上端に装着される連結ブラケット３２に設けられる回転部材３０とによって、自然に前後移送して、重ね合って開閉されることである。 
【００５２】
すなわち、前記回転部材３０は、レールフレーム２０のレール２４に形成された折曲部２３である曲線区間で、自体的に回転できるように設けられることにより、その折曲部２３の曲線区間で自然に回転しながら、摺動できるようにすることで、別の前後移送手段がなくても、戸体１を前後移送することができるようになる。 
【００５３】
また、回転部材３０は、戸体１の設置後、高低を微細に調節することによって、家具の前方に位置する一対の戸体１が、ムラなく正確に設置される。 
【００５４】
それで、本発明は、従来のように、戸体を前後に移送させるための前後移送手段などといった複雑な構造を有するものではなく、レールフレームのレール上で自体的に回転する回転部材により、極めて簡単な構造を有し、且つ、スムーズに摺動して重ね合って開閉される。
【００５５】
合わせて、簡単な構造による組立性も優れており、高い生産性を有するだけでなく、それによる経済性も優れた条件を有する。 
【００５６】
そして、前記前後一対のレールフレーム２０は、直線区間の前後各レール２４が一体に形成される直線レールフレーム２０Ａと、前記直線レールフレーム２０Ａの両側に折曲部２３の曲線区間の前後各レール２４が形成された各曲線レールフレーム２０Ｂとに分割構成することが望ましい。 
【００５７】
換言すると、前記レールフレームを、前後それぞれのレールフレームに別に製作することではなく、そのレールフレームに形成される前後レールを、１つのフランジ上で前後に位置させ、直線区間と折曲部の曲線区間とに区画して、すなわち、３つのモジュール化した形態で形成することによって、部品数をより減少し、より優れた経済性を有することになる。 
【００５８】
一方、前記戸体の前後への流動性を防止すると共に、前記家具の底面でもスムーズに摺動できるようにするため、前記家具１００の底面で各戸体１を摺動するとき、前後に移送するように、両側に曲面部４３が形成されたガイド支持溝４４が設けられて、前述したレールフレームのような役目を果たす一対の支持フレーム４０と、一側が前記戸体１の下端に装着される支持ブラケット５２の他側に、前記ガイド支持溝４４で挿入支持されて摺動するそれぞれの支持部材５０とを含むことが望ましい。この際、前記支持フレームは、前述した家具の上面に形成されるレールフレームのように、直線支持フレームと曲線支持フレームとに分割構成され、前記支持ブラケットも、互いに連結固定するための前述した固定台で互いに連結固定される。 
【００５９】
前記支持部材５０は、ガイド支持溝４４に挿入支持されて、戸体が前後に流動することなく、転がる挿入突部５４aが形成された支持ローラ５４と、前記支持ローラ５４が転がるように装着され、前記支持ブラケット５２で回転可能に締結される回動ブラケット５５とから構成されることが望ましい。 
【００６０】
合わせて、前記回動ブラケット５５は、支持ブラケット５２に形成された結合孔５２aに回転可能に挿入される挿入ボス部５５aが形成され、前記挿入ボス部５５aには、螺合する調節ボルト５６によって、回動ブラケット５５上で支持ブラケット５２の高低が調節されることが望ましい。 
【００６１】
換言すると、前記家具の底面に形成される支持フレーム及び支持部材は、前述した家具の上面に形成されるレールフレームと回転部材と同様に、戸体が摺動開閉される過程において、戸体の下端を支持することにより、戸体が前後に流動することなく、安定して摺動するようにする役割を果たす。 
【００６２】
また、前記支持部材の支持ブラケットも、回動ブラケット上で高低が調節されるようにすることで、前述した戸体の上端と連結されて高低を調節する回転部材の締結ブラケットと連結ブラケットのように、戸体がムラなく、より正確に設置することができる。 
【００６３】
それより、戸体の下端も、上端と同様に、支持フレームと支持部材によって前後に流動することなく、安定して摺動できるようにすることで、製品に対する信頼性をより向上させることができる。 
【００６４】
そして、図６及び図７に示しているように、戸体が開放されてから閉じられるとき、衝撃に対する衝撃騒音を最小化すると、安定的に戸体が閉じられ、このためには、前記支持フレーム４０の両側各曲面部４３側には、即ち、一対の曲面部のうち、短い側の曲面部と近接する位置に支持ローラ５４が装着された回動ブラケット５５が係脱しながら、戸体開放による緩衝力を有する緩衝部材６０が設けられることが望ましい。 
【００６５】
前記緩衝部材６０は、上下に設けられたハウジング６０а内に、前記曲面部４３に対応する 案内溝６２と、前記案内溝６２上で底面に形成された移動ロール６３によって移動しながら、前記回動ブラケット５５が挿脱される流入溝６４аが形成された移動具６４と、前記移動具６４と一端が回動可能に締結され、他端は、通常のねじバネなどのような復元バネ６９が介して回転可能に固定される稼動台６６と、前記稼動台６６の一面と接触するとき、緩衝力を有する通常の緩衝具であるダンパ６８とから構成されることが望ましい。ここで、前記ハウジングは、同図に示しているように、支持フレームと一体に形成して部品数を減らすことが望ましく、別に製作して設置しても構わない。 
【００６６】
前記において、復元バネの一端は、稼動台と固定され、前記復元バネの他端は、前記稼動台が回転可能に結合した軸上に固定される。 
【００６７】
前記緩衝部材は、戸体が閉じられる過程で支持部材が曲面部に位置したとき、図６に示しているように、稼動台に回転可能に設けられた流入溝が形成された移動具は、支持部材である回動ブラケットの流入がスムーズに行われるように傾斜して位置した状態で、回動ブラケットが流入して摺動されると、移動具が案内溝に沿って摺動しながら、図７に示しているように、前記移動区と締結している稼動台が、ダンパと接触しながら緩衝力を有することにつれ、戸体が閉じながら生じる衝撃を緩衝して、家具との衝撃騒音を防止すると共に、衝撃で家具が損傷することを防止することができる。 
【００６８】
また、図７に示しているように、戸体が閉じられて緩衝した状態で、再度、戸体を開くときは、戸体の摺動と共に稼動台も摺動すると共に、復元バネによっても、図の原位置にスムーズに移動されることである。 
【００６９】
合わせて、前記緩衝部材は、下部に形成される支持フレームだけでなく、家具の上面に形成されるレールフレームに一体に形成するか、別に形成して、支持部材の締結ブラケットが係脱するようにして、緩衝力を有するようにしてもよい。 
【００７０】
図８は、本発明の他の実施例を概略的に示す要部図である。 
【００７１】
図８に示しているように、前記の構成において、戸体が摺動開閉される過程において、左右への流動性を最小化するために、前記戸体１の摺動開閉に際して、その戸体１が、左右流動することなく、前記レールフレーム２０が固定した家具１００の上面後方に'コ'状に形成される支持レール７０と、前記連結ブラケット３２に戸体が開放される方向側に、通常の方式で締結固定される支持台７４と、前記支持台７４上に装着され、前記支持レール７０の支持溝７０а上で転がる流動防止ローラ７６とを含んでいる。ここで、前記支持台は、連結ブラケットから延在した部分に装着固定される。 
【００７２】
それにより、戸体が前記レールフレームに設けられる連結ブラケットの回転部材によって摺動開閉するとき、前記支持レール上に支持される支持台と流動防止ローラにより、左右へ流動することなく、安定した摺動が行われるようにすることで、戸体のより安定した開閉が行われる。
【００７３】
図９は、本発明の他の実施例を概略的に示す要部図である。 
【００７４】
図９に示しているように、前記家具の底面に設けられ、戸体の前後への流動性を防止するための構造をより簡単な構造とするために、前記家具１００の底面に、各戸体１の摺動時に、前後に移送するように両側にガイド曲面部８２が形成されたガイド溝８４が設けられた'コ'状が下部に向かうように形成される一対のガイドフレーム８０と、一側が前記戸体１の下端と装着される装着ブラケット８６の他側に、前記ガイド溝８４に挿入支持されて摺動するガイドローラ８８とを含むことを示している。ここで、前記ガイドフレームも、直線区間と曲線区間に分割した形態で形成しても構わない。 
【００７５】
前記ガイドローラ８８は、装着ブラケット８６上に回転可能に装着されて、前記ガイド溝上で垂直に転がるように形成されることが望ましい。 
【００７６】
そして、図１０に示しているように、前記ガイド溝８４に設けられるガイドローラ８８を、前記ガイド溝８４の側面を水平状態に支持して摺動できるようにすることで、前後への流動性が、垂直に形成されるガイドローラ８８に比較して、より一層高い。 
【００７７】
前記のガイドフレームのガイド溝上に垂直又は水平形に形成されて、戸体の前後への流動性を防止するためのもので、極めて簡単な構造を有し、且つ、戸体が前後への流動性を最小化することによって、組立性に優れ、製造コストも節減することができるというメリットを有する。 
【産業上の利用可能性】
【００７８】
本発明は、たんすや書棚、戸棚、又は バニティー・キャビネットなどのような引戸が適用されるあらゆる家具に適用される。 
【図１】
0006258344.tif 000002
【図２】
0006258344.tif 000003
【図３】
0006258344.tif 000004
【図４】
0006258344.tif 000005
【図５】
0006258344.tif 000006
【図６】
0006258344.tif 000007
【図７】
0006258344.tif 000008
【図８】
0006258344.tif 000009
【図９】
0006258344.tif 000010
【図１０】
0006258344.tif 000011